(57)【要約】      （修正有）【課題】反射ミラーの振動が、光学箱の側壁の振動によって増大しない光走査装置を提供する。【解決手段】長手方向における反射ミラー４０５の中央部と反射ミラー４０５を固定するための２つの固定機構との間にそれぞれ一つずつ中間部材１０を設け、反射ミラー４０５と光学箱の側壁５０１の内面に両中間部材１０を固定することによって反射ミラー４０５の振動を抑制するようにした。【選択図】図２
2018010150.tif 000002
【特許請求の範囲】
【請求項１】
光ビームを出射する光源と、
前記光源から出射される前記光ビームが感光体上を走査するように前記光ビームを偏向する回転多面鏡と前記回転多面鏡を回転させる駆動モータとを備える偏向装置と、
前記光学箱の内部に収容され、前記偏向装置によって偏向された光ビームを感光体上に導く反射ミラーと、
前記偏向装置と前記反射ミラーを内部に収容する光学箱であって、前記反射ミラーの長手方向において前記反射ミラーの一端側を支持するための第１の支持部と前記第１の支持部に前記反射ミラーを押圧する第１の板バネが取り付けられる第１の取付部を含む第１の固定機構と、前記反射ミラーの長手方向において前記反射ミラーの他端側を支持するための第２の支持部と前記第２の支持部に前記反射ミラーを押圧する第２の板バネが取り付けられる第２の取付部を含む第２の固定機構と、を含み、前記第１の支持部と前記第２の支持部とによって前記反射ミラーが前記光学箱の１つの側壁に沿って支持されるように前記第１の固定機構と前記第２の固定機構が内部に設けられた光学箱と、
前記長手方向における前記反射ミラーの中央と前記第１の固定機構との間において前記光学箱の前記側壁の内面と前記反射ミラーの反射面以外の面との両方に接着された第１の中間部材と、
前記長手方向における前記反射ミラーの中央と前記第２の支持部との間において前記光学箱の前記側壁の内面と前記反射ミラーの反射面以外の面との両方に接着された第２の中間部材と、を有する光走査装置。
【請求項２】
前記第１の支持部および前記第２の支持部は前記反射ミラーの反射面と対向するように前記光学箱に設けられ、前記第１の中間部材および前記第２の中間部材は前記反射面とは異なる同一面に接着されていることを特徴とする請求項１に記載の光走査装置。
【請求項３】
前記反射ミラーの前記側壁に対向する対向面が前記光学箱の開口に向かうに従って前記側壁の内面から遠ざかるように、前記反射ミラーは前記第１の支持部および前記第２の支持部によって支持され、
前記第１の中間部材および前記第２の中間部材は、前記反射ミラーに含まれる前記側壁の内面に向かう面に接触する第１の平面と、前記側壁の内面に接触する第２の平面と、を有することを特徴とする請求項１または２に記載の光走査装置。
【請求項４】
前記第１の平面と前記の第２平面の成す角度は、前記第１の平面が接触する前記反射ミラーの面と前記第２の平面が接触する前記側壁面の成す角度と略等しいことを特徴とする請求項３に記載の光走査装置。
【請求項５】
前記第１の支持部と前記第２の支持部によって支持された前記反射ミラーと前記側壁の内面とは平行であることを特徴とする請求項３または４に記載の光走査装置。
【請求項６】
前記反射ミラーの反射面とは異なる面に取り付けられ、前記反射ミラーの振動を吸収する動吸振器を備え、
前記第１の中間部材および前記第２の中間部材は、前記長手方向において前記動吸振器の両端で前記反射ミラーに接着されていることを特徴とする請求項１または２に記載の光走査装置。
【請求項７】
前記第１の支持部および前記第２の支持部は前記反射ミラーの反射面と対向するように前記光学箱に設けられ、前記第１の中間部材および前記第２の中間部材は前記反射面とは異なる同一面に接着されていることを特徴とする請求項１乃至６いずれか１項に記載の光走査装置。 
【発明の詳細な説明】
【技術分野】
【０００１】
本発明は、電子写真方式の画像形成装置に備えられる光走査装置に関する。
【背景技術】
【０００２】
電子写真方式を用いた画像形成装置は、光走査装置から出射される光ビームによって感光体を露光することにより、感光体上に潜像を形成し、この潜像をトナーによって現像する。この画像形成装置は、感光体上に現像されたトナー像を記録材上に転写し、記録材上のトナー像を定着器により記録材に定着させる。さらに、この画像形成装置は、定着処理を行った記録材を排紙する。
【０００３】
光走査装置は、光源から出射された光ビームが感光体上を走査するように光ビームを偏向する偏向装置を備える。偏向装置は、例えば、複数の反射面を備える回転多面鏡とそれを回転させる駆動モータ、あるいは１つの反射面を備えるガルバノミラーとそれを往復動作させる駆動モータ、を備える。偏向装置によって偏向された光ビームは、光走査装置の光学箱に備えられたレンズおよびミラーによって感光体上に導かれる。
【０００４】
このような光走査装置において、駆動モータの振動の周波数とミラーの固有信号の周波数が合致すると、ミラーが共振してしまう。ミラーが共振することによって反射後の光ビームの光路が振動するため、画像不良が発生してしまうことがある。ミラーは板バネからの押圧力を受けて光学箱に固定されることが多いが、ミラーの長手方向全域において押圧力を受けておらず、ミラーはその長手方向や幅方向に移動可能である。そのため、画像形成装置の出荷時などの輸送時の振動によって、ミラーの位置が微小に変動してしまうことがある。
【０００５】
特許文献１は、反射ミラーの振動を低減するために、反射ミラーと光学箱の側壁との間、かつ反射ミラーの長手方向中央部に配置された中間部材を反射ミラーと光学箱の側壁とにゴム系接着剤で接着する光走査装置を開示している。中間部材を反射ミラーと光学箱の側壁に接着することで反射ミラーの振動が低減される。また、中間部材を介して反射ミラーが光学箱に接着固定されるため、上記中間部材は物流時の振動によって反射ミラーの姿勢が変化することが抑制される効果を生んでいる。
【先行技術文献】
【特許文献】
【０００６】
【特許文献１】特開２０１２−９３４７４号公報
【発明の概要】
【発明が解決しようとする課題】
【０００７】
しかしながら、特許文献１には次のような課題がある。即ち、光学箱の側壁は薄肉板状であるため、反射ミラーの中央部に対向する側壁面は側壁の角から離れた位置となる。そのため、その部分は、構造上剛性が低く振動に対して弱くなりやすい。反射ミラー単体の振動を抑えるためには、中央部を固定することが望ましいものの、そのような振動に弱い箇所に固定部材を介してミラーを接着してしまうと、側壁の振動の影響を受けて反射ミラー自体が振動してしまい、十分な振動低減効果を得られない。
【課題を解決するための手段】
【０００８】
そこで本出願に掛かる目的は、光学箱の側壁の振動の影響を受けることなくミラーの振動を低減することを目的としている。
【０００９】
本発明の光走査装置は、光ビームを出射する光源と、前記光源から出射される前記光ビームが感光体上を走査するように前記光ビームを偏向する回転多面鏡と前記回転多面鏡を回転軸を中心に回転させる駆動モータとを備える偏向装置と、前記光学箱の内部に収容され、前記偏向装置によって偏向された光ビームを感光体上に導く反射ミラーと、前記偏向装置と前記反射ミラーを内部に収容する光学箱であって、前記反射ミラーの長手方向において前記反射ミラーの一端側を支持するための第１の支持部と前記第１の支持部に前記反射ミラーを押圧する第１の板バネが取り付けられる第１の取付部を含む第１の固定機構と、前記反射ミラーの長手方向において前記反射ミラーの他端側を支持するための第２の支持部と前記第２の支持部に前記反射ミラーを押圧する第２の板バネが取り付けられる第２の取付部を含む第２の固定機構と、を含み、前記第１の支持部と前記第２の支持部とによって前記反射ミラーが前記光学箱の１つの側壁に沿って支持されるように前記第１の固定機構と前記第２の固定機構が内部に設けられた光学箱と、前記長手方向における前記反射ミラーの中央と前記第１の固定機構との間において前記光学箱の前記側壁の内面と前記反射ミラーの反射面以外の面との両方に接着された第１の中間部材と、前記長手方向における前記反射ミラーの中央と前記第２の支持部との間において前記光学箱の前記側壁の内面と前記反射ミラーの反射面以外の面との両方に接着された第２の中間部材と、を有することを特徴とする。
【発明の効果】
【００１０】
本発明によれば、反射ミラーの中央部に対向する側壁の内面を避けて第１の中間部材と第２の中間部材を配置しているため、反射ミラーに対する光学箱の側壁の振動の影響を抑制することができる。
【図面の簡単な説明】
【００１１】
【図１】実施例における光走査装置、中間部材、および動吸振器を示す図
【図２】図１に示されたＡ−Ａ部分の断面図
【図３】実施例における光走査装置に備えられた反射ミラーの振動特性を示す図
【図４】図１に示されたＡ−Ａ部分の断面図
【図５】反射ミラーの振動加速度を示す図
【図６】反射ミラー４０５の振動低減効果を示す図
【図７】実施例における中間部材が取り付けられた光走査装置の斜視図および比較例の光走査装置の斜視図
【図８】ブラック用の光走査装置を示す斜視図および断面図
【図９】中間部材の形状を示す図
【図１０】実施例における光走査装置の斜視図および断面図
【図１１】実施例における画像形成装置を示す図
【発明を実施するための形態】
【００１２】
（画像形成装置）
図１１は、複数色のトナーを用いて画像形成するデジタルフルカラープリンター（カラー画像形成装置）の概略断面図である。以下、図１１を用いた実施例を説明する。実施例をカラー画像形成装置及びそれに備えられる光走査装置を例に説明するが、実施の形態はカラー画像形成装置及びそれに備えられる光走査装置に限られるものではなく単色のトナー（例えば、ブラック）のみで画像形成する画像形成装置及びそれに備えられる光走査装置であっても良い。
【００１３】
画像形成装置１００には色別に画像を形成する４つの画像形成部（画像形成手段）１０１Ｙ、１０１Ｍ、１０１Ｃ、１０１Ｂｋが備えられている。ここでのＹ、Ｍ、Ｃ、Ｂｋは、それぞれイエロー、マゼンタ、シアン、ブラックを表している。画像形成部１０１Ｙ、１０１Ｍ、１０１Ｃ、１０１Ｂｋはそれぞれ、イエロー、マゼンタ、シアン、ブラックのトナーを用いて画像形成を行う。
【００１４】
画像形成部１０１Ｙ、１０１Ｍ、１０１Ｃ、１０１Ｂｋには感光体であるところの感光ドラム１０２Ｙ、１０２Ｍ、１０２Ｃ、１０２Ｂｋが備えられている。感光ドラム１０２Ｙ、１０２Ｍ、１０２Ｃ、１０２Ｂｋの周りには、帯電装置１０３Ｙ、１０３Ｍ、１０３Ｃ、１０３ＢＫ、光走査装置１０４Ｙ、１０４Ｍ、１０４Ｃ、１０４Ｂｋ、現像装置１０５Ｙ、１０５Ｍ、１０５Ｃ、１０５Ｂｋがそれぞれ設けられている。また、感光ドラム１０２Ｙ、１０２Ｍ、１０２Ｃ、１０２Ｂｋの周りには、ドラムクリーニング装置１０６Ｙ、１０６Ｍ、１０６Ｃ、１０６Ｂｋが配置されている。
【００１５】
感光ドラム１０２Ｙ、１０２Ｍ、１０２Ｃ、１０２Ｂｋの下方には無端ベルト状の中間転写ベルト１０７が配置されている。中間転写ベルト１０７は、駆動ローラ１０８と従動ローラ１０９及び１１０とに張架され、画像形成中は図中の矢印Ｂ方向に回転する。また、中間転写ベルト１０７（中間転写体）を介して、感光ドラム１０２Ｙ、１０２Ｍ、１０２Ｃ、１０２Ｂｋに対向する位置には一次転写装置１１１Ｙ、１１１Ｍ、１１１Ｃ、１１１Ｂｋが設けられている。
【００１６】
また、本実施形態の画像形成装置１００は、中間転写ベルト１０７上のトナー像を記録媒体Ｓに転写するための２次転写装置１１２、記録媒体Ｓ上のトナー像を定着するための定着装置１１３を備える。
【００１７】
ここでかかる構成を有する画像形成装置１００の帯電工程から現像工程までの画像形成プロセスを説明する。各画像形成部における当該画像形成プロセスは同一であるため、画像形成プロセスを画像形成部１０１Ｙを例にして説明し、画像形成部１０１Ｍ、１０１Ｃ、１０１Ｂｋにおける画像形成プロセスについては説明を省略する。
【００１８】
まず画像形成部１０１Ｙの帯電装置により回転駆動される感光ドラム１０２Ｙを帯電する。帯電された感光ドラム１０２Ｙ（像担持体上）は、光走査装置１０４Ｙから出射される光ビームによって露光される。これによって、回転する感光体上に静電潜像が形成される。その後、該静電潜像は現像装置１０５Ｙによってイエローのトナー像として現像される。
【００１９】
以下２次転写工程以降の画像形成プロセスについて画像形成部を例にして説明をする。一次転写装置１１１Ｙ、１１１Ｍ、１１１Ｃ、１１１Ｂｋが転写ベルトに転写バイアスを印加することによって各画像形成部の感光ドラム１０２Ｙ、１０２Ｍ、１０２Ｃ、１０２Ｂｋ上に形成されたイエロー、マゼンタ、シアン、ブラックのトナー像はそれぞれ中間転写ベルト１０７に転写される。これによって中間転写ベルト１０７上で各色のトナー像が重ね合わされる。
【００２０】
中間転写ベルト１０７に４色のトナー像が転写されると、中間転写ベルト１０７上に転写された４色トナー像は２次転写装置１１２にて、手差し給送カセット１１４または給紙カセット１１５から２次転写部Ｔ２に搬送されてきた記録媒体Ｓ上に再び転写（２次転写）される。そして、記録媒体Ｓ上のトナー像は定着装置１１３で加熱定着され、排紙部１１６に排紙され、記録媒体Ｓ上にフルカラー画像が得られる。
【００２１】
なお、転写が終了したそれぞれの感光ドラム１０２Ｙ、１０２Ｍ、１０２Ｃ、１０２Ｂｋは、ドラムクリーニング装置１０６Ｙ、１０６Ｍ、１０６Ｃ、１０６Ｂｋによって残留トナーを除去され、その後、上記の画像形成プロセスが引き続き行われる。
【００２２】
（光走査装置の構成）
図１０（ａ）は光走査装置１０４の斜視図である。図１０（ｂ）は、図１０（ａ）におけるＣ−Ｃの断面図である。
【００２３】
図１０（ａ）に示すように、光学箱４０１には光学ユニット２００が取り付けられている。光学箱４０１は上下に開放した形状であり、図示しない上フタと下フタが取り付けられることで内部が密閉される。光学箱４０１の内部には、光ビームが感光ドラム１０２上を所定の方向に走査するように光学ユニットから出射された光ビームを偏向する偏向手段であるところのポリゴンミラー４０２（回転多面鏡）が備えられている。ポリゴンミラー４０２は図１０（ｂ）に示すモータ４０３によって回転駆動される。ポリゴンミラー４０２によって偏向された光ビームは第１のｆθレンズ４０４に入射する。第１のｆθレンズ４０４を通過した光ビームは、反射ミラー４０５、反射ミラー４０６によって反射され、第２のｆθレンズ４０７に入射する。第２のｆθレンズ４０７を通過した光ビームは第３のミラー４０８によって反射され、防塵ガラス４０９を通過して感光ドラム１０２上に導かれる。第１のｆθレンズ４０４と第２のｆθレンズ４０７を通過した光ビームは、感光ドラム１０２上に結像し、かつ感光ドラム１０２上を一定速度で走査する。
【００２４】
図１０（ａ）に示すように、反射ミラー４０５は、板バネ４１７によって両端が光学箱４０１に向けて押圧されている。反射ミラー４０６、反射ミラー４０８も同様に光学箱４０１に不図示の板バネによって押圧されている。反射ミラー４０５は、走査光を反射する部材であるため、図７（ａ）に示すように、レーザ光の走査方向に細長い形状を有している。また、図７（ａ）および（ｂ）からわかるように、反射ミラー４０５は角柱形状であり、角は面取りされている。本実施例の反射ミラー４０５は四角柱である。反射ミラー４０６、および反射ミラー４０７も同様の形状である。反射ミラー４０５はガラス製のミラーである。  反射ミラー４０５の長手方向の長さは１６５ｍｍである。反射ミラー４０５の副走査方向に対応する方向は、１０ｍｍである。反射ミラー４０５の厚みは５ｍｍである。
【００２５】
図１は、図１０（ａ）に示す光走査装置の拡大図である。光学箱４０１の側壁５０１に沿って反射ミラー４０５が光学箱４０１の内部に収容されている。光学箱４０１の側壁には、複数の板バネ４１７が取り付けられる取付部が設けられている。反射ミラー４０５の長手方向において、本実施例の反射ミラー４０５と側壁５０１は平行である。
【００２６】
図２は、図１のＡ−Ａの断面を示す図である。図２に示すように、光学箱４０１には、反射ミラー４０５を支持する支持部２１、２２が形成されている。支持部２１は、反射ミラー４０５の反射面と同一面に接触する支持面２１ａを備える。支持部２２は、反射ミラー４０５の反射面に隣接する面を支持する支持面２２ａを備える。支持部２１および支持部２２は反射ミラー４０５の長手方向において反射ミラー４０５の両端に設けられている。両端の支持部間の距離は１５４ｍｍである。反射ミラー４０５の両端を支持する複数の支持部２１は、光ビームの走査領域の外側において反射ミラー４０５を支持する。後述する図６における反射ミラー４０５の右側を一端側、左側を他端側とする。反射ミラー４０５の長手方向において一端側の支持部２１と支持部２２の位置は同一であり、他端側の支持部２１と支持部２２の位置は同一である。支持面２１ａおよび支持面２２ａの反射ミラー４０５の長手方向の幅は２ｍｍである。一端側の支持部２１、支持部２２、板バネ４１７、取付部が反射ミラー４０５を光学箱４０１内に固定するための第１の固定機構を構成する。一端側の支持面２１ａおよび支持面２２ａは反射ミラー４０５の一端から６ｍｍの位置に設けられている。また、他端側の支持部２１、支持部２２、板バネ４１７、取付部が反射ミラー４０５を光学箱４０１内に固定するための第２の固定機構を構成する。他端側の支持面２１ａおよび支持面２２ａは反射ミラー４０５の一端から３．５ｍｍの位置に設けられている。
【００２７】
（反射ミラーの振動抑制機構）
図１は、本実施例における反射ミラー４０５の振動抑制機構を示す図である
反の反射面との裏面には、おもり１１と両面テープ１２を備える動吸振器が貼り付けられている。反射ミラー４０５の長手方向において、おもり１１はその中央部において両面テープ１２によって反射ミラー４０５の反射面とは異なる面（具体的には反射面の裏面）に固定されている。両面テープ１２は、反射ミラー４０５の中央部（反射ミラー４０５の振動の腹部分）に取り付けられている。反射ミラー４０５の長手方向における両面テープ１２の幅は５０ｍｍであり、反射ミラー４０５の一端側から５７．５ｍｍから１０７．５ｍｍの位置に貼られている。おもり１１は、反射ミラー４０５の長手方向において両面テープ１２に関して両側が自由端となっている。おもりの長さは１１５ｍｍであり、両面テープ１２に貼られていない両端３２．５ｍｍが自由端となっている。反射ミラー４０５に振動エネルギーが伝わると、動吸振器が振動エネルギーを吸収して自由端が振動する。動吸振器のおもり１１が振動することによって反射面４０５の振幅が抑制される。両面テープ１２は、反射ミラー４０５の中央部（反射ミラー４０５の振動の腹部分）に取り付けられている。
【００２８】
図３は、３００Ｈｚから６００Ｈｚまでの振動をスイープ加振したときの反射ミラー４０５の振動特性を示すグラフである。横軸は周波数、縦軸は振動加速度を示している。縦軸が大きくなるほどその周波数における振動が大きくなっていることを示している。
【００２９】
図３（ａ）は動吸振器が取り付けられていない反射ミラー４０５の振動特性を示している。図３（ａ）によれば、動吸振器が取り付けられていない反射ミラー４０５は５００Ｈｚ付近に固有周波数を持つ形であることがわかる。例えば、この系においてモータ４０３の加振周波数が５００Ｈｚ付近にあると、反射ミラー４０５が大きく振動してしまい、モータ４０３の振動に対して弱い系であるといえる。
【００３０】
それに対して、図３（ｂ）は動吸振器が取り付けられた反射ミラー４０５の振動特性を示している。図３（ｂ）によれば、動吸振器が取り付けられた反射ミラー４０５は５００Ｈｚ付近のピークが大きく減少する。これは、上述したように反射ミラー４０５を振動させる振動エネルギーが、動吸振器のおもりの振動エネルギーに変換されたためと考えられる。
【００３１】
（ミラー姿勢の安定化）
図１において、反射ミラー４０５は、２つの中間部材１０（第１の中間部材および第２の中間部材）によって光学箱４０１の側壁の内面に連結されている。中間部材１０は、支持部２１、支持部２２上に支持された反射ミラー４０５の振動および移動を抑制するために、反射ミラー４０５と側壁５０１の内面とに接着される部材である。
【００３２】
中間部材１０の形状を図９（ａ）（ｂ）を用いて説明する。図９に示すように、中間部材１０は、およそ三角形の形状であり、各辺に概ね沿う接触面１０ａ、１０ｂ、１０ｃ（接触平面）を備える。また、中間部材１０は、接着剤を塗布するための塗布領域１０ｄ、１０ｅ、１０ｆを備える。
【００３３】
側壁５０１の内面と反射ミラー４０１との距離が近い構造において、光走査装置の組立時に、図９（ａ）に示すように三角形状の最も長い辺が側壁５０１の内面に接触するように反射ミラー４０５と側壁５０１との間に中間部材１０が載置される。接触面１０ａと接触面１０ｃのなす角度は、接触面１０ａが接触する反射ミラー４０５側の平面と接触面１０ｃが接触する側壁５０１側の平面との成す角度に略等しい。この状態において、接触面１０ａと反射ミラー４０５の表面とが接触し、接触面１０ｃと側壁５０１の内面とが接触する。そして、中間部材１０は、塗布領域１０ｄと１０ｅに接着剤を塗布することによって反射ミラー４０１と側壁５０１の内面とに接着される。
【００３４】
側壁５０１の内面と反射ミラー４０１との距離が遠い構造において、光走査装置の組立時に、図９（ｂ）に示すように楔型の三角形状の最も長い辺ではない辺が側壁５０１の内面に接触するように反射ミラー４０５と側壁５０１との間に中間部材１０が載置される。接触面１０ａと接触面１０ｂのなす角度は、接触面１０ａが接触する反射ミラー４０５側の平面と接触面１０ｂが接触する側壁５０１側の平面との成す角度に略等しい。この状態において、接触面１０ｂと反射ミラー４０５の表面とが接触し、接触面１０ａと側壁５０１の内面とが接触する。そして、中間部材１０は、塗布領域１０ｆと１０ｅに接着剤を塗布することによって反射ミラー４０１と側壁５０１の内面とに接着される。
【００３５】
本実施例の画像形成装置では、市場で多く印刷されるＢｋの感光体寿命を延ばすために、ＹＭＣに対応する光走査装置と、Ｋに対応する光走査装置の二種類の光走査装置を搭載している。図１で示した第１の光走査装置はＹＭＣに対応するものであり、Ｂｋに対応する第２の光走査装置を図８に示す。ポリゴンモータ４０２やミラー４０５といった構成要素はほぼ変わらないものの、光学箱の形状がやや異なっている。そのため、ミラー４０５と光学箱の壁面までの距離Ｌが異なっており、図１の第１の光走査装置と比較するとＬ１＜Ｌ２の関係になっている。そのため、反射ミラーと側壁の内面とに固定される中間部材１０は同様の装着方法では装着できなくなってしまう。そこで、図８に示すように、中間部材１０の形状は変えずに、装着の向きを変更することで両者にも対応できる中間部材形状としている。
【００３６】
２つの中間部材１０は、図９（ａ）および図９（ｂ）に示すように光学箱４０１の側壁５０１の内面と反射ミラー４０５の両端部の両方に接触し、かつ接着固定されている。側壁５０１は、剛性の弱い中央部が最も振動し、端に行くにつれて光学箱４０１の角部に近づくことになるため振動は小さくなる。本実施例では側壁５０１の端部側に複数の中間部材１０を設けたため、反射ミラー４０１が側壁５０１の振動の影響を受けにくくなっている。
【００３７】
図２は、図１のＡ−Ａ断面であり、中間部材１０の固定の様子を示している。中間部材１０は、反射ミラー４０５と側壁５０１との間に楔上に差し込まれている。接着領域１３には紫外線硬化樹脂を塗布されている。接着領域１３に紫外線が照射されることによって中間部材１０は反射ミラー１０と側壁５０１の内面に接着固定される。
【００３８】
本実施例における板バネ４１７は、反射ミラー４０５の反射面の裏面のみを押圧している。そのため、図４（ａ）および（ｂ）に示すように、反射ミラー４０５は、支持部２１の座面２１ａには接しているものの、支持部２２の座面２２ａに対して接触している場合と、接触していない場合が起こりうる。図５に示す図は、反射ミラー４０５の姿勢が図４（ａ）および（ｂ）の時における反射ミラー４０１の５００Ｈｚにおける振動加速度を示している。なお、両者共に前述の動吸振器を装着した状態での測定結果である。図５から判るように、反射ミラー４０５と光学箱４０１が接触しているか否かで振動加速度は約２倍もの差が出てしまっている。前述のように、図４（ｂ）に示す状態は輸送における振動によって十分に起こり得るため、反射ミラー４０５が光学箱４０１に接触した図４（ａ）の状態を安定的に作り出すためにも、上述の中間部材１０によって反射ミラー４０５の移動を抑制する必要がある。
【００３９】
（本実施例と従来例の振動低減効果）
図６および図７は本実施例における反射ミラー４０５の振動低減効果を示す図である。図６（ａ）は反射ミラー４０５に動吸振器も中間部材１０も装着していない構成、図（ｂ）は従来例にあるような反射ミラー４０５の中央部に中間部材１０を取り付けた構成、図６（ｃ）は本実施例における反射ミラー４０５に動吸振器および中間部材１０を装着した構成、における振動加速度を示している。
【００４０】
図６（ｃ）に示すように、中間部材１０は、その長手方向における反射ミラー４０５の中央部と反射ミラーを固定するための２つの固定機構との間にそれぞれ一つずつ設けられている。反射ミラー４０５の一端側の中間部材１０は、中間部材１０の一端が反射ミラー４０５の一端から１６ｍｍの位置になるように、反射ミラー４０５に固定される。反射ミラー４０５の他端側の中間部材１０は、中間部材１０の他端が反射ミラー４０５の他端から１５ｍｍの位置になるように、反射ミラー４０５に固定される。反射ミラー４０５の長手方向における中間部材１０の幅は５ｍｍである。
【００４１】
図７（ａ）〜（ｃ）は、図６（ａ）〜（ｃ）にそれぞれ対応し、反射ミラー４０５および光学箱４０１の側壁５０１の中央部の振動加速度を示したものである。図７から判るように、反射ミラー４０５の振動は、図６（ａ）の構造が最も悪く、図６（ｂ）の構造、図６（ｃ）の構造の順に振動加速度が低減していることがわかる。図６（ｂ）の構造が図６（ｃ）の構造よりも振動加速度が大きい理由として、図６（ｂ）の構造は側壁５０１の中央部に中間部材１０を固定しているため、側壁５０１の振動の影響を受けていると考えられる。一方で側壁５１０の中央部の振動加速度を見ると、図６（ｂ）の構造が最も小さく、図６（ｃ）の構造は図６（ｂ）の構造よりも振動が増加していることがわかる。図６（ｂ）の構造では側壁５０１の中央部の振動が低減するものの、その分反射ミラー４０５の振動が増加してしまっており、図６（ｃ）の構造では側壁５０１の中央部が振動してしまっているものの、反射ミラー４０５と側壁５０１の中央部の振動が切り離されており、反射ミラー４０５の振動が小さくなっている。図６（ｃ）の構図では側壁５０１の中央部の振動が図６（ｂ）の構造よりも振動が増加してしまっているものの、実際の画像不良につながるのは反射ミラー４０５の振動であり、いくら光学箱４０１の側壁が振動していても反射ミラー４０５が振動していなければ画像不良になることはない。したがって、反射ミラー４０５の振動が最も小さい図６（ｃ）の構造が画像不良への影響が最も小さい高品質の系であると言える。
【００４２】
以上、説明したように、その長手方向における反射ミラー４０５の中央部と反射ミラー４０５を固定するための２つの固定機構との間にそれぞれ一つずつ中間部材１０を設け、反射ミラー４０５と光学箱４０１の側壁５０１の内面に両中間部材１０を固定することによって反射ミラー４０５の振動を抑制することができる。
【符号の説明】
【００４３】
１０  中間部材
１００  画像形成装置
４０３  モータ
４０５  反射ミラー
【図１】
2018010150.tif 000003
【図２】
2018010150.tif 000004
【図３】
2018010150.tif 000005
【図４】
2018010150.tif 000006
【図５】
2018010150.tif 000007
【図６】
2018010150.tif 000008
【図７】
2018010150.tif 000009
【図８】
2018010150.tif 000010
【図９】
2018010150.tif 000011
【図１０】
2018010150.tif 000012
【図１１】
2018010150.tif 000013